(57)【特許請求の範囲】
【請求項１】
地中に埋設されてなる複数の鉄筋コンクリート製の基礎杭と、該複数の基礎杭に支持さ
れる鉄筋コンクリート製の基礎梁と、を備えた建築物において、
該基礎梁の下端を含む部分を“基礎梁下端部”とし、該基礎梁における該基礎梁下端部
の上側の部分であって該基礎梁の高さ方向の中央部を“基礎梁中央部”とした場合に、
該基礎梁下端部及び該基礎梁中央部で形成される部分の断面形状が略逆Ｔ字状となるよ
うに、該基礎梁下端部の短手方向の幅が該基礎梁中央部の短手方向の幅より大きくなるよ
うに設定され、
該基礎梁下端部は、該基礎梁の長手方向全体に亘って、短手方向に同じ幅を有しており、
前記基礎杭の杭主筋の少なくとも一部は、該基礎梁下端部の部分であって前記基礎梁中
央部よりも出っ張った部分に埋設されるように配置された、
ことを特徴とする建築物。
【請求項２】
前記基礎梁下端部の短手方向の幅は、前記基礎杭の幅と同等以上とした、
ことを特徴とする請求項１に記載の建築物。
【請求項３】
前記基礎梁下端部を含む部分又は前記基礎梁の全体は、プレキャスト工法又は現場打ちにより作成される、
ことを特徴とする請求項１又は２に記載の建築物。
【請求項４】
前記基礎梁の部分であって前記基礎杭によって支持される部分を“支持部”とした場合に、
隣接する２つの前記支持部の間の中央部（以下、“長手方向中央部”とする）の梁せいは、該支持部の部分の梁せいよりも小さく設定されてなる、
ことを特徴とする請求項１乃至３のいずれか１項に記載の建築物。
【請求項５】
前記長手方向中央部の上側には、現場打ちで形成される部分（以下、“現場打ち部”と
する）が配置され、
該現場打ち部には、該現場打ち部を前記短手方向に沿って貫通する貫通孔が形成されて
なる、
ことを特徴とする請求項４に記載の建築物。
【請求項６】
地中に埋設されてなる複数の鉄筋コンクリート製の基礎杭と、該複数の基礎杭に支持さ
れる鉄筋コンクリート製の基礎梁と、を備えた建築物において、
該基礎梁の下端を含む部分を“基礎梁下端部”とし、該基礎梁における該基礎梁下端部
の上側の部分であって該基礎梁の高さ方向の中央部を“基礎梁中央部”とし、該基礎梁の上端を含む部分を“基礎梁上端部”とした場合に、
該基礎梁下端部、該基礎梁上端部及び該基礎梁中央部で形成される部分の断面形状がＩ字状となるように、該基礎梁下端部及び該基礎梁上端部の短手方向の幅が該基礎梁中央部の短手方向の幅より大きくなるように設定され、
該基礎梁下端部及び該基礎梁上端部は、該基礎梁の長手方向全体に亘って、それぞれ短手方向に同じ幅を有しており、
前記基礎杭の杭主筋の少なくとも一部は、該基礎梁下端部の部分及び該基礎梁上端の部分であって前記基礎梁中央部よりも出っ張った部分に埋設されるように配置された、
ことを特徴とする建築物。
【発明の詳細な説明】
【技術分野】
【０００１】
本発明は、地中に埋設されてなる複数の鉄筋コンクリート製の基礎杭と、該複数の基礎杭に支持される鉄筋コンクリート製の基礎梁と、を備えた建築物に関する。
【背景技術】
【０００２】
従来、基礎杭や基礎梁を備えた建築物については種々の構造のものが提案されている（例えば、特許文献１及び２参照）。
【０００３】
図２（ａ）は、建築物の従来構造の一例を示す側面図であり、同図（ｂ）は、そのＲ−Ｒ断面図である。これらの図中の符号１２は、地中に埋設されてなる複数の鉄筋コンクリート製の基礎杭を示し、符号１３は、該複数の基礎杭１２の上端（杭頭）に接合される鉄筋コンクリート製の基礎梁を示している。そして、この基礎梁１３は、同図（ｂ）に例示するように、断面が略矩形となるように形成されていた。
【先行技術文献】
【特許文献】
【０００４】
【特許文献１】特開２００５−１３９７３１号公報
【特許文献２】特開２０１２−１０７４４３号公報
【発明の概要】
【発明が解決しようとする課題】
【０００５】
ところで、前記基礎梁１３の幅寸法Ｗ１３は、該基礎梁１３に作用する応力の条件だけによって規定されるものではなく、幾何学的な条件によっても規定されるものである。すなわち、該基礎梁１３には前記基礎杭１２の側の杭主筋Ｄが挿通（埋設）されるため、該基礎梁１３の側の梁主筋Ｅの離間間隔（つまり、一の梁主筋Ｅと他の梁主筋Ｅとの間の間隙）は該杭主筋Ｄが挿通されるに足る寸法である必要があり、該梁主筋Ｅの数が増えれば増えるほど前記基礎梁１３の幅寸法Ｗ１３は大きくなってしまう。その場合は、前記応力の条件を既に満足しているにもかかわらず、前記幾何学的な条件を満たすだけのために前記基礎梁１３の幅寸法Ｗ１３を必要以上に大きくしなければならず、その分、コンクリートの使用量が増えてしまうという問題があった。また、該基礎梁１３の幅寸法Ｗ１３を出来るだけ小さくした場合には、前記杭主筋Ｄと前記梁主筋Ｅとが干渉するかしないかのギリギリの条件で前記基礎梁１３を前記杭頭に載置しなければならず、その載置作業（具体的には、前記梁主筋Ｅの間隙に前記杭主筋Ｄを挿通させる作業）に時間が掛かってしまうという問題も生じていた。さらに、施工段階で前記基礎杭１２が正規の位置からズレてしまっていると、前記杭主筋Ｄと前記梁主筋Ｅとの干渉が起こりやすくなり、該基礎梁１３の設置作業にはさらに時間が掛かってしまうという問題があった。
【０００６】
本発明は、上述の問題を解消することのできる建築物を提供することを目的とするものである。
【課題を解決するための手段】
【０００７】
請求項１に係る発明は、図１（ａ）〜（ｃ）に例示するものであって、地中に埋設されてなる複数の鉄筋コンクリート製の基礎杭（２）と、該複数の基礎杭（２）に支持される鉄筋コンクリート製の基礎梁（３）と、を備えた建築物（１）において、
該基礎梁（３）の下端を含む部分（３ａ）を“基礎梁下端部”とし、該基礎梁（３）における該基礎梁下端部（３ａ）の上側の部分であって該基礎梁（３）の高さ方向（ｚ）の中央部（３ｂ１，３ｂ２）を“基礎梁中央部”とした場合に、
該基礎梁下端部（３ａ）及び該基礎梁中央部（３ｂ１，３ｂ２）で形成される部分の断面形状が略逆Ｔ字状となるように、該基礎梁下端部（３ａ）の短手方向（ｙ）の幅（Ｗ３ａ）が該基礎梁中央部（３ｂ１，３ｂ２）の短手方向（ｙ）の幅（Ｗ３ｂ）より大きくなるように設定され、
該基礎梁下端部は、該基礎梁の長手方向全体に亘って、短手方向に同じ幅を有しており、
前記基礎杭（２）の杭主筋（Ｄ）の少なくとも一部は、該基礎梁下端部（３ａ）の部分であって前記基礎梁中央部（３ｂ１，３ｂ２）よりも出っ張った部分に埋設されるように配置されたことを特徴とする。
【０００８】
請求項２に係る発明は、請求項１に係る発明において、前記基礎梁下端部（３ａ）の短手方向（ｙ）の幅（Ｗ３ａ）を、前記基礎杭（２）の幅（Ｗ２）と同等以上としたことを特徴とする。
【０００９】
請求項３に係る発明は、請求項１又は２に係る発明において、前記基礎梁下端部（３ａ）を含む部分又は前記基礎梁（３）の全体が、プレキャスト工法又は現場打ちにより作成されることを特徴とする。
【００１０】
請求項４に係る発明は、請求項１乃至３のいずれか１項に記載の発明において、前記基礎梁（３）の部分であって前記基礎杭（２）によって支持される部分（３Ａ）を“支持部”とした場合に、
隣接する２つの前記支持部（３Ａ，３Ａ）の間の中央部（符号３Ｂ参照。以下、“長手方向中央部”とする）の梁せい（Ｈ３Ｂ）は、該支持部（３Ａ）の部分の梁せい（Ｈ３Ａ）よりも小さく設定されてなることを特徴とする。
【００１１】
請求項５に係る発明は、請求項４に記載の発明において、前記長手方向中央部（３Ｂ）の上側には、現場打ちで形成される部分（符号４参照。以下、“現場打ち部”とする）が配置され、
該現場打ち部（４）には、該現場打ち部（４）を前記短手方向（ｙ）に沿って貫通する貫通孔（４ａ，４ｂ，４ｃ）が形成されてなることを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１乃至３に係る発明によれば、前記基礎梁下端部の短手方向の幅が前記基礎梁中央部の短手方向の幅よりも大きくなるように設定されるので、該基礎梁中央部の短手方向の幅を必要以上に大きくしなくて良くなり、基礎梁の断面を略矩形状とする場合に比べてコンクリートの使用量を低減することができる。また、前記基礎梁の梁主筋の離間間隔（つまり、一の梁主筋と他の梁主筋との間の間隙）を大きく取ることができ、前記杭主筋と前記梁主筋とが干渉するおそれを低減して、前記基礎梁の設置作業の効率化を図ることができる。さらに、施工段階で前記基礎杭が正規の位置からズレてしまっても前記杭主筋と前記梁主筋との干渉の発生を低減し、前記基礎梁の設置作業の効率化を図ることができる。
【００１４】
請求項４に係る発明によれば、前記長手方向中央部の梁せいを小さくすることでコンクリートの使用量を低減することができる。
【００１５】
請求項５に係る発明によれば、前記貫通孔を穿設する位置が決定していない段階でも前記基礎梁の作成を開始でき、その分、作業期間の短縮を図ることができる。
【図面の簡単な説明】
【００１６】
【図１】図１（ａ）は、本発明に係る建築物の構造の一例を示す側面図であり、同図（ｂ）は、その基礎梁のＰ−Ｐ断面図であり、同図（ｃ）は、その基礎梁のＱ−Ｑ断面図である。
【図２】図２は、建築物の従来構造の一例を示す側面図であり、同図（ｂ）は、そのＲ−Ｒ断面図である。
【発明を実施するための形態】
【００１７】
以下、図１（ａ）〜（ｃ）に沿って、本発明の実施の形態について説明する。
【００１８】
本発明に係る建築物は、図１（ａ）に符号１で例示するものであって、
・  地中に埋設されてなる複数の鉄筋コンクリート製の基礎杭２と、
・  該複数の基礎杭２に支持される鉄筋コンクリート製の基礎梁３と、
を備えている。ここで、該基礎梁３の下端（下面）を含む部分３ａを“基礎梁下端部”とし、該基礎梁３における該基礎梁下端部３ａの上側の部分３ｂ１，３ｂ２であって該基礎梁３の高さ方向ｚの中央部３ｂ１，３ｂ２を“基礎梁中央部”とした場合に、図１（ｂ）（ｃ）に例示するように、該基礎梁下端部３ａの短手方向ｙの幅Ｗ３ａが該基礎梁中央部３ｂ１，３ｂ２の短手方向ｙの幅Ｗ３ｂより大きくなるように設定されていて、該基礎梁下端部３ａ及び該基礎梁中央部３ｂ１，３ｂ２で形成される部分の断面形状が略逆Ｔ字状となるように設定されている。そして、前記基礎杭２の主筋（本明細書において“杭主筋”とする）Ｄの少なくとも一部は、該基礎梁下端部３ａの部分であって前記基礎梁中央部３ｂ１，３ｂ２よりも出っ張った部分に埋設されるように配置されている。なお、図１（ｂ）（ｃ）に示す例では、前記基礎梁３の上端部分３ｃ１，３ｃ２も拡幅されているが、もちろんこれに限られるものではなく、拡幅されていなくても良い。
【００１９】
本発明によれば、前記基礎梁下端部３ａの短手方向ｙの幅Ｗ３ａが前記基礎梁中央部３ｂ１，３ｂ２の短手方向ｙの幅Ｗ３ｂよりも大きくなるように設定されているので、該基礎梁中央部３ｂ１，３ｂ２の短手方向ｙの幅３ｂを必要以上に大きくしなくて良くなり、基礎梁の断面を略矩形状とする場合に比べてコンクリートの使用量を低減することができる。また、前記基礎梁３の梁主筋Ｅの離間間隔（つまり、一の梁主筋Ｅと他の梁主筋Ｅとの間の間隙（短手方向ｙの間隙））を大きく取ることができ、前記杭主筋Ｄと前記梁主筋Ｅとが干渉するおそれを低減して、前記基礎梁３の設置作業の効率化を図ることができる。さらに、施工段階で前記基礎杭２が正規の位置からズレてしまっても前記杭主筋Ｄと前記梁主筋Ｅとの干渉の発生を低減し、前記基礎梁３の設置作業の効率化を図ることができる。
【００２０】
この場合、前記基礎梁下端部３ａの短手方向ｙの幅Ｗ３ａは、前記基礎杭２の幅Ｗ２と同等以上にすると良い。
【００２１】
上述した基礎梁下端部３ａを含む部分又は前記基礎梁３の全体は、プレキャスト工法により作成するようにしても、或いは、現場打ちにより作成するようにしても、どちらでも良い。前記基礎梁下端部３ａをプレキャスト工法により作成するようにした場合には、その分、現場打ちの作業を減らして作業の効率化を図ることができる。
【００２２】
ところで、前記基礎梁３の梁せいは、その長手方向ｘに沿って同じである必要はない。今、前記基礎梁３の部分であって前記基礎杭２によって支持される部分３Ａを“支持部”とした場合に、該基礎梁３の部分３Ｂであって、隣接する２つの前記支持部３Ａ，３Ａの間の中央部（つまり、長手方向中央部）３Ｂの近傍の部分の梁せいＨ３Ｂを他の部分の梁せいＨ３Ａに比べて小さくしても良い。つまり、隣接する２つの前記支持部３Ａの間の長手方向中央部３Ｂの梁せいＨ３Ｂは、該支持部の部分３Ａの梁せいＨ３Ａよりも小さく設定すると良い。このような構造の基礎梁３においては前記長手方向中央部３Ｂに作用する曲げモーメントは他の部分に作用する曲げモーメントよりも小さくなるので前記梁せいＨ３Ｂが小さくても強度的な問題は無く、また、該梁せいＨ３Ｂを小さくすることによりコンクリートの使用量を低減することができる。
【００２３】
さらに、前記長手方向中央部３Ｂの上側には、現場打ちで形成される部分（以下、“現場打ち部”とする）４を配置し、該現場打ち部４には、該現場打ち部４を前記短手方向ｙに沿って貫通する貫通孔４ａ，４ｂ，４ｃを形成しておくと良い。そして、その貫通孔４ａ，４ｂ，４ｃは、設備のための配管用の孔や人通口として利用すると良い。そのようにした場合には、該貫通孔４ａ，４ｂ，４ｃの位置が決定していない段階でも前記基礎梁３の作成を開始でき、その分、作業期間の短縮を図ることができる。なお、図１（ａ）に示す例では、前記貫通孔４ａ，４ｂ，４ｃは上端側に配置されているが、もちろんこれに限られるものではなく、下端側に配置するようにしても良い。
【符号の説明】
【００２４】
１                      建築物
２                      基礎杭
３                      基礎梁
３ａ                    基礎梁下端部
３ｂ１，３ｂ２            基礎梁中央部
３Ａ                    支持部
３Ｂ                    長手方向中央部
４                      現場打ち部
４ａ，４ｂ，４ｃ        貫通孔
Ｄ                      基礎杭の杭主筋
Ｈ３Ａ                    支持部の部分の梁せい
Ｈ３Ｂ                    長手方向中央部の梁せい
Ｗ２                      基礎杭の幅
Ｗ３ａ                    基礎梁下端部の短手方向の幅
Ｗ３ｂ                    基礎梁中央部の短手方向の幅
ｙ                      短手方向
【図１】
0006449080.tif 000002
【図２】
0006449080.tif 000003